(57)【要約】【課題】  安定して立設して配置される線香の火を消すことなく構成される線香立て用網目状プレートとこの線香立て用網目状プレートを用いた線香立てを提供する。【解決手段】  線香４として一般に使用されている１．９ｍｍを用い、これを保持する線香立て用網目状プレート１００の線材１の直径を０．３１ｍｍから０．５５ｍｍのものとし、線香４の火を最後まで消さずに保持するように形成される線香立てからなる。【選択図】図４
2014083417.tif 000002
【特許請求の範囲】
【請求項１】
線香の通過可能の網目状の空間部を形成する線香立て用のプレートであって、前記空間部が２本の線材が上下に配列されて互いに接触しないで交差して配設されるものから形成されることを特徴とする線香立て用網目状プレート。
【請求項２】
前記線材がステンレス材からなり、その直径が０．３１ｍｍから０．５５ｍｍのものからなり、使用される線香の直径が１．９ｍｍ以上のものからなることを特徴とする請求項１に記載の線香立て用網目状プレート。
【請求項３】
請求項１及び２に記載の線香立て用網目状プレートを用いてなる線香立てであって、該線香立ては２枚の前記線香立て用網目状プレートを上下に適宜間隔を介して配置し、下方の前記線香立て用網目状プレートの下に更に適宜間隔を介して線香の通過できない網目状の空間部を有する線香支持用プレートを配置し、２枚の前記線香立て用網目状プレート及び線香支持用プレートの全体を囲む外側ケースを設け、該外側ケースの底面と前記線香支持用プレートとの間に線香の燃えカスとしての灰の蓄積可能の隙間を形成することを特徴とする線香立て。
【発明の詳細な説明】
【技術分野】
【０００１】  本発明は、燃えてる状態の線香の火の部分が接触しても火が消えることのない構造からなる線香立て用網目状プレートとこれを用いた線香立てからなる線香立て用網目状プレートとこれを用いた線香立てに関する。
【背景技術】
【０００２】  通常、仏壇に使用されている線香立てとしては図６に示すように陶器等からなる容器１０内に灰９を入れたものからなり、線香４は灰９内にその下方部を沈めた状態で立設させ頂部に火をつけて使用するものが大部分である。この構造のものでは線香４の露出箇所は燃えるが、灰９内に挿入されている部分はそのまま灰９の中に残存することになる。そのため、図７に示すように灰９を容器１０から取り出して残存している線香４を取り除いて灰９を再使用する必要があり、極めて面倒であると共に灰９の掃除が十分でないと灰９内に線香４を安定的に立てることが円滑に行かない問題点があった。【０００３】  この問題点を解決するための線香立てとしては各種のものがあるが、例えば「特許文献１」及び「特許文献２」に挙げるものが開示されている。
【先行技術文献】
【特許文献】
【０００４】
【特許文献１】特開２０００−１７５８２４号（図１）
【特許文献２】特開２００６−２０４８４６号（図１）
【発明の概要】
【発明が解決しようとする課題】
【０００５】  前記の「特許文献１」の「特開２０００−１７５８２４号」の「線香焚き用中置き網」は後に説明する本発明と似ているものではあるが、金網については２本の交差したものを用いるものではなく、また、使用される線径もその内容の（［０００６］）に０．３５ミリと記載されているのみであり、本発明のように線径の範囲を明確にし、かつ使用する線径の内容を明確にしたものではなく、内容的に不十分のものである。また、このものは既存の線香焚き香炉にすっぽり入れるものであり、本発明のように独立した構造のものではなく、残灰の処理についても不十分の内容のものからなる。【０００６】  前記の「特許文献２」の「特開２００６−２０４８４６号」の「線香立て」は、器（１）の底に灰（５）の溜る空間を設け、上方側に金網（３）を設け、線香を金網（３）により安定支持する構造からなるが、その特徴としては線香が金網（３）に接触すると火が自然消火することにある。そのため残った部分は灰（５）内に残存することになる。また、その他の開示されている線香立てについても大部分のものは自然消火をさせることに特徴を有するものである。【０００７】  線香は最後まで使用出来ることが望ましく、かつ独立した構造で確実に燃え続ける構造のものが必要である。逆に「特許文献２」のように自然消火する従来技術も多いが前記のように最後まで安全に燃え続けることが必要と思われる。また、線香を逆立てした使用する構造のものが望ましい。【０００８】  本発明は、以上の事情に鑑みて発明されたものであり、その１つとして線香が接触しても消火しない構造の線香立て用網目状プレートを発明すると共に、この線香立て用網目状プレートを用いた線香立てからなる線香立て用網目状プレートとこれを用いた線香立てを提供することを目的としている。
【課題を解決するための手段】
【０００９】  本発明は、以上の目的を達成するために、請求項１の発明は、線香の通過可能の網目状の空間部を形成する線香立て用のプレートであって、前記空間部が２本の線材が上下に配列されて互いに接触しないで交差して配設されるものから形成されることを特徴とする。【００１０】  また、請求項２の発明は、前記線材がステンレス材からなり、その直径が０．３１ｍｍから０．５５ｍｍのものからなり、使用される線香の直径が１．９ｍｍ以上のものからなることを特徴とする。【００１１】  また、請求項３の発明は、請求項１及び２に記載の線香立て用網目状プレートを用いてなる線香立てであって、該線香立ては２枚の前記線香立て用網目状プレートを上下に適宜間隔を介して配置し、下方の前記線香立て用網目状プレートの下に更に適宜間隔を介して線香の通過できない網目状の空間部を有する線香支持用プレートを配置し、２枚の前記線香立て用網目状プレート及び線香支持用プレートの全体を囲む外側ケースを設け、該外側ケースの底面と前記線香支持用プレートとの間に線香の燃えカスとしての灰の蓄積可能の隙間を形成することを特徴とする。
【発明の効果】
【００１２】  本発明の請求項１の線香立て用網目状プレートによれば、２本の線材を交差して線香の通す網目状の空間部を形成するものからなるがこの線材を接触させないで交差して空間部を形成する構造からなり、線香の火は線材に接触しても消えずに燃え続けることが出来る効果を有するものである。【００１３】  また、本発明の請求項２の線香立て用網目状プレートによれば、線材の直径や材質を明確にし、かつ使用される線香として一般的に存在している１．９ｍｍ以上のものが使用出来るものとし、その用途の明確化を図り、実際市場での使用の確実性を図ることが出来る。【００１４】  また、本発明の請求項３の線香立てによれば請求項１及び２に示した線香立て用網目状プレートを用いたものからなり、線香の火が消えることなく、使用されるものからなり、灰に殆ど線香が残存せず、かつ灰の掃除も不要で灰の除去も簡単に出来る効果を上げることも出来る。
【図面の簡単な説明】
【００１５】
【図１】本発明の線香立て用網目状プレートの概要全体構造を示す平面図。
【図２】２本の線材の配置状態を示すもので（ａ）は２本の線材が接触しない本発明の状態を示す断面図、（ｂ）は接触している状態を示す断面図。
【図３】使用される線材の直径を限定的に決めると共に使用される線香の大きさを決めるための実験データを示す表。
【図４】図１等に示した線香立て用網目状プレートを用いた線香立ての全体構造を示す断面図。
【図５】図４に示す線香立てにおいて逆方向（下側）から線香に火をつけて使用する状態を示す断面図。
【図６】従来の線香立ての一例を示す写真。
【図７】従来の線香立てにおける使用後の灰の状態を示す写真。
【図８】本発明における線香立ての使用状態を示す写真。
【発明を実施するための形態】
【００１６】  以下、本発明の線香立て用網目状プレートとこれを用いた線香立ての実施の形態を図面を参照して詳述する。
【実施例１】
【００１７】  実施例１は線香立て用網目状プレート１００についての説明である。
図１に示すように線香立て用網目状プレート１００は、平板状の枠体３とこの枠体３に両端を固定して、配置される線材１とからなる。線材１は２本の線材１ａ，１ｂとからなり線材１ａと線材１ｂとは網目状に交差して配置され、本実施例では四角状の空間部２を形成するものからなる。なお、空間部２は線香４の通過可能の面積からなる。【００１８】  ２本の線材１ａ，１ｂは上下に配置され、図２の（ｂ）に示すように互いに接触して配置される場合と微少隙間δを介して非接触に配置させるものとが有るか後に説明する実験の結果、図２（ａ）に示す非接触の形態が良いことが解ったため本発明では２本の線材１ａ，１ｂは非接触に配置されるものを用いた。なお、微少隙間の大きさは特に限定するものではないが、０．２ｍｍ程度のものを採用した。なお、テストの結果、殆ど隙間のないものでも消火しない場合もあり、この微少隙間は前記のものに限定する必要はない。【００１９】  図３の表に示すように、実験として線材１としては直径が０．３１ｍｍから０．５５ｍｍのものを用い、線香としては一般に使用されている直径１．９ｍｍ乃至２．６ｍｍのものを採用した。表において、記入欄の上方に記載されているものは図２（ｂ）のように線材１ａ，１ｂが接触の場合の線香の火の消えるか否かを示すものであり、○印は火が消えない場合を示し、×印は火が消える場合を示す。また、記入欄の下方に記載されているものは図２（ａ）に示すように線材１ａ，１ｂが接触していない場合の線香の火の消えるか否かを示すものである。【００２０】  以上の実験による表のデータから線材１は線材１ａと線材１ｂが非接触の場合の方が線香の火が消えにくいことが解った。線香としては直径１．９ｍｍ以上のものが使用可能である（但し、空間部２の大きさを越えるものは勿論採用されないが大きい場合は空間部２の大きさをその線香の大きさに対応して作ればよい）。
一方、線材１としては線材１ａ，１ｂが非接触であれば実験のデータの０．３１ｍｍ以上のものであればよく、実際上は０．５５ｍｍを越えるものは線香立て用網目状プレートとしては適当でなく、線材の使用範囲としては本発明では０．３１ｍｍから０．５５ｍｍとしたが、これに特別限定するものではないが必要時には実験が必要である。
以上により、本発明の線香立て用網目状プレート１００としては、ステンレス材の線材１でその直径を０．３１ｍｍ乃至０．５５ｍｍとし、使用する線香としては市場で一般に使用されている１．９ｍｍ以上のものが適用されるものとし、使用範囲を実験的に限定したが、勿論これに限定するものではなく、実験を進めることによりこの範囲外のものも適用可能であるが実際上は以上の限定範囲のものが商品として望ましいと思考している。
【実施例２】
【００２１】  図４は本発明の線香立て用網目状プレート１００を用いた線香立て２００の概要全体構造を示した断面図である。
線香立て２００は、適宜間隔を介して上下に配置される２枚の線香立て用網目状プレート１００と下側の線香立て用網目状プレート１００と適宜間隔を介してその下方に配置される線香支持用プレート５と２枚の線香立て用網目状プレート１００及び線香支持用プレート５の全体を囲む外側ケース６とからなり、外側ケース６と、線香支持用プレート５との間には用済の線香４の燃えカスとしての燃えカス灰７の蓄溜するための隙間８が形成されている。
線香支持用プレート５は線香４の燃えカス７が通過する開口部を形成するものからなる網目状のものであり、なお、前記開口部は線香４自体は通過出来ない大きさのものからなる。
詳細構造は省略するが２枚の線香立て用網目状プレート１００と線香支持用プレート５とは連結具１１等により一体的構造に形成されている。
また、外側ケース６は線香立て用網目状プレート１００や線香支持用プレート５を囲む適宜の大きさのものがよく安全のため耐火性のある材質のものからなる。なお、図４では外側ケース６の上端は開放されているが、この開放箇所を閉止する図略の蓋があってもよい。【００２２】  以上の構造の線香立て２００の場合には線香４は２枚の線香立て用網目状プレート１００の空間部２（図１に示されている）を通して挿入され線香支持用プレート５にその下端を支持された状態で安定的に支持される。この動作は極めて簡単であり、数多くの線香４を同時に挿入することも出来る。線香４はその頂部に着火されて燃え始めるが、前記のように線香立て用網目状プレート１００はその線材１（線材１ａ，１ｂ）に着火している部分が接触しても消えることなく最後まで燃えることになる。燃えカス７は線香支持用プレート５の開口部を通り隙間８の部分に溜る。従って、外側ケース６間から一体的構造になっている線香立て用網目状プレート１００や線香支持用プレート５等を取り出すことにより、燃えカス７を簡単に廃除することが出来る。なお、図８はこの線香立て２００の使用状態を示す写真である。【００２３】  図５は図４のものと同一構造の線香立て２００であるが、線香４を逆さにして下端側から着火させたものであり、この状態は点火部分を外部側に露出させない安定的な使用方法である。【００２４】  本発明は以上の説明の内容からなるが、本発明は以上の内容に限定するものではなく、同一技術的範疇のものが適用されることは勿論である。
【産業上の利用可能性】
【００２５】  本発明の線香立て２００はすべての仏壇に対して適用されると共に、立設して着火される部材に対しても適用可能であり、その利用範囲は極めて広い。
【符号の説明】
【００２６】  １      線材
１ａ    線材
１ｂ    線材
２      空間部
３      枠体
４      線香
５      線香支持用プレート
６      外側ケース
７      燃えカス灰
８      隙間
９      灰
１０    容器
１１    連結具
１００  線香立て用網目状プレート
２００  線香立て
【図１】
2014083417.tif 000003
【図２】
2014083417.tif 000004
【図３】
2014083417.tif 000005
【図４】
2014083417.tif 000006
【図５】
2014083417.tif 000007
【図６】
2014083417.tif 000008
【図７】
2014083417.tif 000009
【図８】
2014083417.tif 000010